(57)【要約】【課題】  断水復帰時に貯湯槽に濁り水が流入するのを防止する技術を提供すること。【解決手段】  貯湯式給湯システム２は、貯湯槽３００と、市水の供給口１００から貯湯槽３００へ給水する経路９０と、貯湯槽３００から給湯する経路９４，２２，２４と、給水経路を開閉する混合ユニット２００と、断水を検知する圧力スイッチ１０と、コントローラ８００とを備える。コントローラ８００は、断水が検知された場合に混合ユニット２００の経路９６側を全閉する。コントローラ８００は、混合ユニット２００の経路９６側を全閉した状態で浴槽４２０に所定量の市水を排水する。【選択図】  図１
2010281479.tif 000002
【特許請求の範囲】
【請求項１】
貯湯槽と、
市水の供給口に連通しており、貯湯槽へ給水する給水経路と、
貯湯槽から給湯する給湯経路と、
供給口と貯湯槽の間に配置されており、給水経路を開閉する第１の開閉手段と、
断水を検知する断水検知手段と、
断水検知手段が断水を検知した場合に、給水経路を閉じるように第１の開閉手段を制御する開閉制御手段と、
給水経路が閉じられている状態で、供給口から供給される所定量の市水を排水する排水手段と、
を備える貯湯式給湯システム。
【請求項２】
排水手段が排水中であることを報知する報知手段をさらに備えることを特徴とする請求項１に記載の貯湯式給湯システム。
【請求項３】
ユーザーによって操作が実行される操作手段をさらに備え、
排水手段は、前記所定量の市水の排水中に操作手段において第１の操作が実行された場合に、前記所定量の市水を排水する前に排水を停止することを特徴とする請求項１又は２に記載の貯湯式給湯システム。
【請求項４】
ユーザーによって操作が実行される操作手段をさらに備え、
排水手段は、操作手段において第２の操作が実行された場合に、前記所定量の市水が排水された後に、供給口から供給される市水をさらに排水することを特徴とする請求項１から３のいずれかに記載の貯湯式給湯システム。
【請求項５】
給水経路に接続されている排水経路と、
排水経路を開閉する第２の開閉手段と、
をさらに備え、
排水手段は、排水経路を開くように第２の開閉手段を制御することによって、前記所定量の市水を排水することを特徴とする請求項１から４のいずれかに記載の貯湯式給湯システム。
【請求項６】
断水の開始から終了までの期間が長くなる程、前記所定量が多くなることを特徴とする請求項１から５のいずれかに記載の貯湯式給湯システム。
【発明の詳細な説明】
【技術分野】
【０００１】
本発明は、温水を貯湯しておく貯湯槽を備える貯湯式給湯システムに関する。
【背景技術】
【０００２】
貯湯式給湯システムでは、加熱された温水を貯湯槽に貯湯しておき、貯湯槽に貯湯しておいた温水を必要に応じて給湯する。このような給湯システムは、例えば発電によって生じる発電熱を給湯の熱源として利用するコージェネレーションシステム等において採用されている。貯湯式給湯システムでは、市水の供給口から貯湯槽に市水が供給され、その市水を熱源に送って加熱することによって得られる温水を貯湯槽で貯湯する。
【０００３】
火事、地震等の災害発生時や、水道管の工事が行われる時には、市水の供給が停止される断水状態になる。特許文献１及び２には、断水に関する技術を採用している貯湯式給湯システムが開示されている。
【先行技術文献】
【特許文献】
【０００４】
【特許文献１】特開２００７−２５５７５３号公報
【特許文献２】特開２００７−１２０８３２号公報
【発明の概要】
【発明が解決しようとする課題】
【０００５】
特許文献１，２には、断水復帰後に市水をどのようにして貯湯槽に供給するのかについて記載されていない。断水から復帰した直後から貯湯槽に市水が供給されることが予想される。通常、断水復帰直後に供給される市水は、配管の錆や工事時に混入した汚泥等が混じった濁り水である。貯湯槽に濁り水が一旦流入すると、その後に清潔な市水を貯湯槽に供給しても、濁り水内の錆や汚泥等が貯湯槽の下部に溜まり、それらが流出しない可能性が高い。従って、貯湯槽から全ての水を抜いて内部を洗浄する必要が生じる。
【０００６】
本明細書では、断水復帰時に貯湯槽に濁り水が流入するのを防止する技術を提供する。
【課題を解決するための手段】
【０００７】
本明細書によって開示される貯湯式給湯システムは、貯湯槽と、市水の供給口に連通しており貯湯槽へ給水する給水経路と、貯湯槽から給湯する給湯経路と、供給口と貯湯槽の間に配置されており給水経路を開閉する第１の開閉手段と、断水を検知する断水検知手段と、断水検知手段が断水を検知した場合に給水経路を閉じるように第１の開閉手段を制御する開閉制御手段と、給水経路が閉じられている状態で、供給口から供給される所定量の市水を排水する排水手段とを備えている。なお、上記の「断水検知手段が断水を検知した場合」とは、「断水の開始を検知した場合」であってもよいし、「断水中であることを検知した場合」であってもよいし、「断水の終了を検知した場合」であってもよい。
【０００８】
上記の貯湯式給湯システムは、断水を検知したときに、給水経路を閉じるように第１の開閉手段を制御することによって、貯湯槽への市水の供給を遮断することが出来る。貯湯槽へ市水が供給されない状態で、濁り水である可能性が高い所定量の市水を排水することが出来る。これにより、断水復帰時に濁り水が貯湯槽へ流入するのを防ぐことが出来る。
【０００９】
上記の貯湯式給湯システムは、排水手段が排水中であることを報知する報知手段をさらに備えていてもよい。この貯湯式給湯システムによると、ユーザーは、排水中である事を知ることができる。
【００１０】
上記の貯湯式給湯システムは、ユーザーによって操作が実行される操作手段をさらに備えていてもよい。排水手段は、前記所定量の市水の排水中に操作手段において第１の操作が実行された場合に、前記所定量の市水を排水する前に排水を停止してもよい。この貯湯式給湯システムによると、ユーザーは、排水されている市水が濁り水では無いと判断した場合に、第１の操作を実行することによって排水を停止することが出来る。
【００１１】
上記の貯湯式給湯システムは、ユーザーによって操作が実行される操作手段をさらに備えていてもよい。排水手段は、操作手段において第２の操作が実行された場合に、前記所定量の市水が排水された後に、供給口から供給される市水をさらに排水してもよい。この貯湯式給湯システムによると、ユーザーは、排水が終了する時点でも濁り水が排水されていることを確認した場合に、予め決められている前記所定量以上の市水を排水させることが出来る。
【００１２】
上記の貯湯式給湯システムは、給水経路に接続されている排水経路と、排水経路を開閉する第２の開閉手段とをさらに備えていてもよい。排水手段は、排水経路を開くように第２の開閉手段を制御することによって、前記所定量の市水を排水してもよい。この貯湯式給湯システムによると、第１の開閉手段を閉じている状態で、供給口から供給される市水を排水することができる。
【００１３】
上記の貯湯式給湯システムは、断水の開始から終了までの期間が長くなる程、前記所定量を増してもよい。断水時間が長い程、断水復帰後に供給される多くの市水に錆や汚泥等が混入している可能性がある。そこで、上記の貯湯式給湯システムでは、断水時間が長くなる程、排水量を増加させる。そのため、貯湯槽への濁り水の流入をより確実に防ぐことが出来る。
【図面の簡単な説明】
【００１４】
【図１】実施例の貯湯式給湯システムの概略図を示す。
【図２】コントローラが実行するフローチャートを示す。
【図３】図２の続きのフローチャートを示す。
【図４】図２の続きのフローチャートを示す。
【発明を実施するための形態】
【００１５】
以下に説明する実施例に開示されている技術の一部を記載しておく。
（特徴１）断水検知手段は、断水の開始を検出してもよい。開閉制御手段は、断水の開始が検出された場合に、給水経路を閉じるように第１の開閉手段を制御してもよい。
（特徴２）上記の貯湯式給湯システムは、加熱手段と、貯湯槽から加熱手段に市水を送って加熱手段で加熱された市水を貯湯槽に戻す加熱経路と、をさらに備えていてもよい。
（特徴３）開閉制御手段は、前記所定量の市水の排水後に第１の開閉手段を開くように制御することによって、貯湯槽への市水の給水を再開してもよい。
（特徴４）上記の給水経路は、一端が供給口に接続されているとともに他端が第１の開閉手段に接続されている第１経路と、一端が第１の開閉手段に接続されているとともに他端が貯湯槽に接続されている第２経路と、を備えていてもよい。
（特徴５）特徴５において、貯湯式給湯システムは、一端が第１の開閉手段に接続されているとともに他端が給湯経路に接続されている第３経路をさらに備えていてもよい。第１の開閉手段は、第２経路に供給される市水量と第３経路に供給される市水量との比率を変えるものであってもよい。貯湯式給湯システムは、給湯経路から供給される温水の温度を設定することをユーザーに許容する給湯温度設定手段をさらに備えていてもよい。開閉制御手段は、上記の比率を制御することによって、貯湯槽から給湯経路に供給される温水と第３経路に供給される市水とを混合し、ユーザーによって設定された温度の温水を温水利用箇所に供給してもよい。さらに、開閉制御手段は、第２経路に供給される市水量と第３経路に供給される市水量との比率が０：１になるように第１の開閉手段を制御することによって、給水経路を閉じてもよい。この場合、第３経路が開かれることになり、供給口から供給される市水は、第３経路及び給湯経路を経て、温水利用箇所に排水されてもよい。即ち、この形態では、第３経路及び給湯経路の一部によって排水経路が構成されることになる。この形態では、温水に市水を混合するための第３経路が排水経路を兼用していると言うこともできる。
（特徴６）特徴４において、排水経路は、第１の開閉手段より供給口側において給湯経路に接続されていてもよい。この場合、排水経路は、暖房経路に配置されているタンクに排水してもよい。
【実施例１】
【００１６】
図面を参照しながら実施例を説明する。図１は、本実施例の貯湯式給湯システム２の概略図を示す。貯湯式給湯システム２は、市水の供給口１００、熱負荷４００、貯湯ユニット５００、リモコン６００、排熱回収ユニット７００等を備えている。
【００１７】
熱負荷４００は、暖房端末機４１０、浴槽４２０、給湯栓４３０等を備えている。暖房端末機４１０の例として、空調用暖房器、床暖房、ロードヒーティング等を挙げることができる。給湯栓４３０は、台所、洗面所、浴室のシャワー、カラン等に設置される。また、図示しないトイレの排水栓、屋外の出水口等の温水利用箇所等にも、給湯栓４３０が設置される。
【００１８】
排熱回収ユニット７００は、図示しない発電ユニット、燃料電池、改質器、熱回収用熱交換器等を備えている。燃料電池は、改質器で生成される水素ガスを空気中の酸素と反応させて発電を行う。発電に伴って発電熱が発生し、発電熱によって排熱回収ユニット７００内の熱媒循環経路内の熱媒が加熱される。熱媒循環経路内の熱媒の熱は熱回収用熱交換器に入力される。貯湯槽３００の下部から排熱回収ユニット７００に伸びる経路７０２は、熱回収用熱交換器を通過する。これにより、経路７０２内の水が加熱される。加熱された水は、排熱回収ユニット７００から貯湯槽３００の上部に伸びる経路７０４によって、貯湯槽３００に戻される。
【００１９】
貯湯ユニット５００は、市水の供給口１００に接続されている経路９０を備える。経路９０には、圧力スイッチ１０、減圧弁１２、給水サーミスタ１４、給水量センサ１６、給水量サーボ１８、混合ユニット２００が介装されている。圧力スイッチ１０は、供給口１００から供給される水圧が規定圧力以上のときはオン信号を出力し、水圧が規定圧力を下回るとオフ信号を出力する。減圧弁１２は、給水圧力を調整するものであり、減圧弁１２の下流側圧力が低下すると開き、水圧を所定の調圧値に維持する。このため、貯湯槽３００内の温水が減少したり、混合ユニット２００が開いたりすると、減圧弁１２の作用によって市水が給水される。給水サーミスタ１４は、給水される市水の温度を検出する。給水量センサ１６は、給水される市水の流量を検出する。給水量サーボ１８は、給水される市水の流量を調整する。混合ユニット２００には、経路９２の一端と経路９６の一端とが接続されている。経路９２の他端は、後述する経路９４に接続されている。経路９６の他端は、貯湯槽３００の下部に接続されている。混合ユニット２００は、経路９２に供給される市水量と経路９６に供給される市水量との比率を変えることができる。
【００２０】
貯湯ユニット５００は、一端が貯湯槽３００の頂部に接続されている経路９４をさらに備えている。経路９４の他端は、給湯栓４３０に接続されている。経路９４には、タンクサーミスタ５６とタンク電磁弁３０と出湯サーミスタ３２とが介装されている。タンクサーミスタ５６は、貯湯槽３００から供給される温水の水温を計測する。タンク電磁弁３０は、経路９４を開閉する。出湯サーミスタ３２は、貯湯槽３００から供給される温水と経路９２から供給される市水とが混合された後の温水の水温を計測する。
【００２１】
経路９４には、経路２２の一端が接続されている。経路２２の他端は、経路２４に接続されている。経路２２には、湯張り弁３４と湯張り水量センサ３６とが介装されている。湯張り弁３４は、経路２２を開閉する。湯張り水量センサ３６は、経路２２内の水量を計測する。経路２４の一端と他端の両方が浴槽４２０に接続されている。経路２４には、風呂循環ポンプ３８が介装されている。風呂循環ポンプ３８は、浴槽４２０内の水を、経路２４を介して再び浴槽４２０に戻すためのポンプである。経路２４は、風呂用熱交換器４０を通過している。
【００２２】
ユーザーは、後述のリモコン６００を利用して、給湯栓４３０や浴槽４２０の給湯温度を設定することができる。コントローラ８００は、設定された給湯温度の温水が得られるように、給水サーミスタ１４とタンクサーミスタ５６のそれぞれの計測値に基づいて、混合ユニット２００における経路９２側と経路９４側の開度の比率を調整する。給湯栓４３０がユーザーによって開かれると、設定された給湯温度の温水が給湯栓４３０に供給される。また、コントローラ８００が湯張り弁３４を開くことによって、設定された給湯温度の温水が浴槽４２０に供給される。なお、コントローラ８００は、湯張り水量センサ３６の計測値に基づいて、ユーザーによって設定された水量が浴槽４２０に供給されることを監視している。コントローラは、設定された水量が浴槽４２０に供給されると、湯張り弁３４を閉じる。
【００２３】
貯湯ユニット５００は、経路５０、経路５２、及び、経路２０をさらに備えている。経路５０の一端は、貯湯槽３００の頂部に接続されている。経路５０の他端は、経路５２の一端と経路２０の一端とに接続されている。経路５０には、循環入口サーミスタ７６、循環ポンプ７８、循環水量センサ８０、循環水量サーボ８２、バーナ８４、及び、循環出口サーミスタ７２が介装されている。循環入口サーミスタ７６は、貯湯槽３００から供給される温水の水温を計測する。循環水量センサ８０は、経路５０内の水量を計測する。循環水量サーボ８２は、経路５０内の水量を調整する。バーナ８４は、経路５０内の水を加熱する。循環出口サーミスタ７２は、バーナ８４を通過した後の経路５０内の水温を計測する。経路２０の他端は、貯湯槽３００の頂部に接続されている。経路２０には、電磁弁９８が介装されている。電磁弁９８は、経路２０を開閉する。
【００２４】
例えば、貯湯槽３００内の水温が低い場合に、経路５０と経路２０とを利用して貯湯槽３００内の水を昇温させることができる。コントローラ８００は、電磁弁９８を開いて、循環ポンプ７８を駆動する。さらに、コントローラ８００は、バーナ８４を駆動する。これにより、貯湯槽３００内から経路５０に送り出される水が、バーナ８４で加熱されて経路２０を経て貯湯槽３００に戻ることになる。
【００２５】
経路５２の他端は、経路２０に接続されている。経路５２は、暖房用熱交換器６４を通過している。経路５２には、暖房用熱交換器出口サーミスタ５８と電磁弁８６とが介装されている。暖房用熱交換器出口サーミスタ５８は、暖房用熱交換器６４を通過した後の経路５２内の水温を計測する。電磁弁８６は、経路５２を開閉する。
【００２６】
貯湯ユニット５００は、一端が経路５２に接続されている経路５４をさらに備えている。経路５４の他端は、経路５０に接続されている。経路５４には、電磁弁７４が介装されている。電磁弁７４は、経路５４を開閉する。
【００２７】
貯湯ユニット５００は、暖房端末機４１０を通過している経路５５をさらに備えている。経路５５は、暖房用熱交換器６４を通過している。経路５５には、シスターン６０、暖房ポンプ６２、及び、暖房サーミスタ６６が介装されている。シスターン６０は、水を貯めるタンクである。シスターン６０の下部には、シスターン排水弁８８が配置されている。また、シスターン６０には、シスターン給水弁７０が介装された経路２７の一端が接続されている。経路２７の他端は、混合ユニット２００より供給口１００側で経路９０に接続されている。暖房サーミスタ６６は、暖房用熱交換器６４を通過した後の経路５５内の水温を計測する。
【００２８】
貯湯ユニット５００は、両端が経路５５に接続されている経路５７をさらに備えている。経路５７は、風呂用熱交換器４０を通過している。経路５７には、追焚用熱動弁６８が介装されている。追焚用熱動弁６８は、経路５７を開閉する。
【００２９】
コントローラ８００は、以下のようにして、暖房端末機４１０に熱を供給する。コントローラ８００は、電磁弁９８及び電磁弁７４を閉じた状態で電磁弁８６を開いて、循環ポンプ７８を駆動する。これにより、貯湯槽３００内の温水が、経路５０及び経路５２を経て、暖房用熱交換器６４を通過する。暖房用熱交換器６４を通過した温水は、経路５２及び経路２０を経て、貯湯槽３００に戻る。コントローラ８００は、さらに、暖房ポンプ６２を駆動する。これにより、経路５５内を水が循環する。経路５５内の水は、暖房用熱交換器６４によって加熱される。この結果、暖房端末機４１０に熱が供給される。なお、貯湯槽３００内の水温が低い場合、コントローラ８００は、電磁弁９８及び電磁弁８６を閉じた状態で電磁弁７４を開いて、循環ポンプ７８を駆動する。電磁弁９８が閉じられるために、貯湯槽３００から経路５０に水が送り出されない。ただし、電磁弁７４が開かれているために、経路５２、経路５４、及び、経路５０を、水が循環する。コントローラ８００は、バーナ８４を駆動する。これにより、バーナ８４で加熱された温水が暖房用熱交換器６４を通過する。
【００３０】
また、コントローラ８００は、以下のようにして、風呂の追い焚きを行なう。温水が暖房用熱交換器６４を通過するように制御する点は、上記と同様である。コントローラ８００は、さらに、追焚用熱動弁６８を開いて、暖房ポンプ６２を駆動する。これにより、経路５７を水が循環する。暖房用熱交換器６４で加熱された温水が、風呂用熱交換器４０を通過する。コントローラ８００は、さらに、風呂循環ポンプ３８を駆動する。これにより、経路２４を浴槽４２０内の水が循環する。この結果、経路２４内の水が風呂用熱交換器４０で加熱される。
【００３１】
貯湯ユニット５００は、コントローラ８００をさらに備えている。コントローラ８００には、制御プログラムが記憶されており、各種のポンプ、サーボ、サーミスタ、弁等を制御している。コントローラ８００には、リモコン６００が接続されている。リモコン６００は、断水処理解除スイッチ６１０、断水処理スイッチ６２０、表示器６３０、自動復帰モードスイッチ６４０等を備えている。リモコン６００は、浴室、洗面所、台所等にそれぞれ配設されている。ユーザーは、リモコン６００を操作することによって、暖房端末機４１０の利用要求、浴槽４２０の湯張り又は追焚き、給湯栓４３０の利用要求、給湯温度の設定等を行なうことが出来る。表示器６３０には、様々な情報が表示される。例えば、ユーザーによって設定された給湯温度、浴槽の湯張り温度、湯張り時刻等に関する情報が表示される。さらに、断水中であることを示す情報、断水後の排水中であることを示す情報、断水後の自動復帰モードの選択状態を示す情報、断水処理時の必要排水量に関する情報等が表示される。
【００３２】
続いて、コントローラ８００が実行する断水処理について説明する。図２から図４は、コントローラ８００が実行する断水処理のフローチャートを示す。コントローラ８００は、圧力スイッチ１０からの出力信号を入力している。コントローラ８００は、圧力スイッチ１０からの出力信号に基づいて、断水が開始されたのか否かを判断する（Ｓ２）。断水状態ではない場合、経路９０内の水圧が規定圧力以上となっており、圧力スイッチ１０は、オン信号を出力している。この場合、コントローラ８００は、Ｓ２でＮＯと判断する。一方において、断水状態である場合、経路９０内の水圧が規定圧力以下となっており、圧力スイッチ１０は、オフ信号を出力している。この場合、コントローラ８００は、Ｓ２でＹＥＳと判断する。
【００３３】
Ｓ２でＹＥＳの場合、コントローラ８００は、混合ユニット２００の経路９２側の弁を全開し、経路９６側の弁を全閉する（Ｓ４）。これにより、貯湯槽３００への市水の流入が遮断される。コントローラ８００は、断水積算タイマーをスタートする（Ｓ６）。次いで、コントローラ８００は、断水処理の実行中であることを示す情報をリモコン６００に出力する（Ｓ８）。この結果、リモコン６００は、例えば、現在断水中であって断水終了後に排水を行なうことを示す文字を表示器６３０に表示させる。なお、リモコン６００は、表示の代わりに、又は、表示と共に、予め決められたブザーや音声などの音を出力させてもよい。また、リモコン６００は、断水が続いている時間、断水後に必要な排水量等を表示させてもよい。なお、Ｓ８の表示は、図３のＳ２０でクリアされるまで継続される。従って、図３のＳ１４〜Ｓ１８の間の排水中の間も表示が継続される。このために、ユーザーは、断水処理が行なわれていることを知ることができる。なお、図３のＳ１４〜Ｓ１８の間は、排水中を示す文字を表示させてもよい。
【００３４】
Ｓ８を終えると、コントローラ８００は、断水状態から通常状態に復帰するまで待機する（Ｓ１０）。断水が終了すると、供給口１００から経路９０に市水が供給され、経路９０内の水圧が規定圧力以上になる。この場合、圧力スイッチ１０からの出力信号が、オフ信号からオン信号に切り替わる。コントローラ８００は、圧力スイッチ１０からの出力信号がオン信号になると、Ｓ１０でＹＥＳと判断する。
【００３５】
ユーザーは、リモコン６００の自動復帰モードスイッチ６４０を操作することによって、断水終了後に自動的に排水を行なうのか否かを選択することができる。この操作タイミングは、例えば、Ｓ８で断水が報知されたタイミングであってもよいし、断水の開始前であってもよいし、断水が終了したタイミングであってもよい。自動的に排水を行なうことが選択されている場合、コントローラ８００は、Ｓ１２でＹＥＳと判断し、図３のＳ１４に進む。一方において、自動的に排水を行なうことが選択されていない場合、コントローラ８００は、Ｓ１２でＮＯと判断し、図４のＳ２６に進む。
【００３６】
図３のＳ１４では、コントローラ８００は、湯張り弁３４を開く。この結果、供給口１００から供給される市水は、経路９０、経路９２、経路９４、経路２２、及び、経路２４を経て、浴槽４２０に排水される。コントローラ８００は、給水量センサ１６（又はセンサ３６）の計測値に基づいて、浴槽４２０に排水された積算水量を計算する。積算水量が所定量を超えると、コントローラ８００は、Ｓ１６でＹＥＳと判断し、湯張り弁３４を閉じる（Ｓ１８）。これにより、排水が終了する。
【００３７】
なお、コントローラ８００は、市水が排水されている間に、浴槽４２０に排水された積算水量、上記のＳ１６の判断基準となる所定量、残りの排水量等を、リモコン６００の表示器６３０に表示させてもよい。さらに、本実施例では、上記のＳ１６の判断基準となる所定量は、断水時間（断水が継続した時間）に応じて決定される。コントローラ８００は、断水時間が長い程、上記の所定量を増加させる。図２のＳ２でスタートされたタイマーは、Ｓ１０でＹＥＳと判断されると停止される。このときのタイマーの値が断水時間である。コントローラ８００は、断水時間が６時間未満である場合に上記の所定量を５０リットルとし、断水時間が６〜１２時間である場合に上記の所定量を１００リットルとし、断水時間が１２〜２４時間である場合に上記の所定量を２００リットルとし、断水時間が２４〜４８時間である場合に上記の所定量を４００リットルとする。
【００３８】
コントローラ８００は、リモコン６００に表示を終了することを指示する（Ｓ２０）。このとき、リモコン６００は、表示及び／又はブザーや音声などの音によって、断水処理の終了を報知してもよい。続いて、コントローラ８００は、混合ユニット２００の経路９６側の弁の全閉状態を解除する（Ｓ１２）。この結果、供給口１００から貯湯槽３００への市水の給水が再開される。
【００３９】
本実施例では、浴槽４２０が使用中の場合や、断水復帰後の濁り水をトイレの排水や屋外等で有効に利用したい場合には、ユーザーは、手動の排水処理を行なうことができる。ユーザーがリモコン６００において自動的に排水を行なうことを選択しない場合、コントローラ８００は、Ｓ１２でＮＯと判断し、図４のＳ２６以降の処理を実行する。
【００４０】
Ｓ２６では、コントローラ８００は、混合ユニット２００において経路９２側を全開して経路９６側を全閉した状態で、給湯栓４３０が開かれるまで待機する。給湯栓４３０が開かれると、給水量センサ１６が２．７リットル／ｍｉｎ以上になり、コントローラ８００は、Ｓ２６でＹＥＳと判断する。次いで、コントローラ８００は、排水量が上記の所定量を超えることを監視する（Ｓ２８）。Ｓ２８でＹＥＳの場合、図３のＳ２０に進む。
【００４１】
一方において、Ｓ２８でＮＯの状態において、コントローラ８００は、リモコン６００の断水処理解除スイッチ６１０が操作されることを監視している（Ｓ３０）。ユーザーは、給湯栓４３０から排水中に排水量が上記の所定量に満たなくても、目視によって市水の濁りの程度から排水処理が不要と判断したときには、断水処理解除スイッチ６１０を操作することができる。この場合、コントローラ８００は、Ｓ３０でＹＥＳと判断し、図３のＳ２０に進む。この結果、上記の所定量が排水される前に、排水処理が終了する。
【００４２】
さらに、コントローラ８００は、リモコン６００の断水処理スイッチ６２０が操作されることを監視している（Ｓ３２）。ユーザーは、給湯栓４３０から排水中に目視によって市水の濁りの程度からさらなる排水処理が必要と判断したときには、断水処理スイッチ６２０を操作することができる。この場合、コントローラ８００は、Ｓ３２でＹＥＳと判断し、現在までに排水された水量（積算水量）をリセットする（Ｓ３４）。この結果、上記の所定量より多い市水が排水されることになる。
【００４３】
なお、本実施例では、圧力スイッチ１０が断水の発生を検知しない場合でも、ユーザーは、排水の必要性を感じた場合に、断水処理スイッチ６２０を操作することによって排水処理を実行させることができる。この場合、コントローラ８００は、図２のＳ４０でＹＥＳと判断し、Ｓ４２の処理を実行する。Ｓ４２の処理は、Ｓ４の処理と同様である。次いで、コントローラ８００は、Ｓ８と同様に、断水処理の実行中であることを示す情報をリモコン６００に出力する（Ｓ４４）。Ｓ４４を終えると、コントローラ８００は、上述したＳ１２以降の処理を実行する。なお、この場合に排水される市水の量（即ち上記の所定量）は、断水時間から決めることができないために、予め決められている固定値に設定される。ただし、ユーザーが排水される市水の量を選択することができるように構成してもよい。
【００４４】
本実施例の貯湯式給湯システム２について詳しく説明した。本実施例によると、断水復帰時に、貯湯槽３００に市水を流入させることなく、市水を自動的に浴槽４２０に排水することができる（図２のＳ１２でＹＥＳ）。貯湯槽３００への濁り水の流入を防ぐことが出来る。また、本実施例によると、断水復帰時に、貯湯槽３００に市水を流入させることなく、給湯栓４３０から排水することもできる（図２のＳ１２でＮＯ）。この場合、浴槽４２０に自動的に排水する場合と異なり、ユーザーが給湯栓４３０を開く必要があるが、貯湯槽３００に市水を流入させることなく排水することができる。ユーザーは、排水先の給湯栓４３０を選択することができる。
【００４５】
さらに、本実施例では、予め決められている上記の所定量の排水が行なわれる前に排水を終了することができる（図４のＳ３０でＹＥＳ）。また、本実施例では、上記の所定量を超えても排水を継続させることもできる（図４のＳ３２でＹＥＳ）。なお、本実施例では、排水時間が長い程、排水される市水の量（上記の所定量）が多くなる。貯湯槽３００への濁り水の流入をより確実に防ぐことが出来る。なお、本実施例の図２〜図４のフローチャートでは、図２のＳ１２でＹＥＳの場合に実行されるＳ１４以降の処理において、断水処理解除スイッチ６１０及び断水処理スイッチ６２０を操作することによって排水の強制終了及び延長を行なうことができない。しかしながら、Ｓ１６でＮＯの場合に、コントローラ８００は、断水処理解除スイッチ６１０及び断水処理スイッチ６２０の操作を監視してもよい。Ｓ１６でＹＥＳと判断される前に断水処理解除スイッチ６１０が操作されると、コントローラ８００は、Ｓ１８に進んで排水を終了してもよい。また、Ｓ１６でＹＥＳと判断される前に断水処理スイッチ６２０が操作されると、コントローラ８００は、積算水量をリセットしてもよい。
【００４６】
上述したように、本実施例の経路９０が給水経路の一例であり、経路９４、経路２２、及び、経路２４が給湯経路の一例であり、混合ユニット２００が第１の開閉手段の一例である。また、圧力スイッチ１０が断水検知手段の一例である。なお、ユーザーは、断水が行なわれることを知っている場合に、断水処理スイッチ６２０を操作することによって、断水処理を実行させることができる（図２のＳ４０でＹＥＳ）。従って、断水処理スイッチ６２０も断水検知手段の一例である。コントローラ８００が実行するＳ４及びＳ４２の処理が、開閉制御手段が実行する処理の一例である。また、コントローラ８００が実行するＳ１４〜Ｓ２２の処理及びＳ２６〜Ｓ３４の処理が、排水手段が実行する処理の一例である。さらに、断水処理解除スイッチ６１０の操作が第１の操作の一例であり、断水処理スイッチ６２０の操作が第２の操作の一例である。また、経路９２、経路９４、経路２２、及び、経路２４が排水経路の一例であり、湯張り弁３４が第２の開閉手段の一例である。
【実施例２】
【００４７】
続いて、第２実施例について説明する。本実施例では、図１に示されるように、経路９６に止水弁２２０が介装されている。さらに、止水弁２２０より供給口１００側の経路９６には、排水弁２１０が介装された経路２５の一端が接続されている。なお、経路２５の他端は、例えば、下水道、出水口等に接続される。通常の利用時には、止水弁２２０を開き、排水弁２１０を閉じて、供給口１００から貯湯槽３００へ給水が行われる。
【００４８】
圧力スイッチ１０の信号、又は、断水処理スイッチ６２０の操作によって、断水が検知されると、コントローラ８００は、止水弁２２０を全閉し、排水弁２１０を全開する。これにより、断水復帰後に供給口１００から送られてくる市水を経路２５に排水する事が出来る。コントローラ８００は、第１実施例と同様の手法を利用して上記の所定量を決定する。コントローラ８００は、上記の所定量の市水が排水されると、止水弁２２０を全開し、排水弁２１０を全閉する。
【００４９】
本実施例では、貯湯槽３００に市水を流入させることなく、経路２５から所定量の市水を自動的に排水することができる。貯湯槽３００への濁り水の流入を防ぐことが出来る。なお、第１実施例と同様に、ユーザーの操作によって排水を停止もしくは延長する事が出来る。さらに、第１実施例における浴槽４２０や給湯栓４３０での排水と併せて、本実施例における経路２５からの排水を行うことも可能である。この場合、排水処理時間を短縮することが出来る。なお、止水弁２２０が第１の開閉手段の一例であり、経路２５が排水経路の一例であり、排水弁２１０が第２の開閉手段の一例である。
【実施例３】
【００５０】
続いて、第３実施例について説明する。コントローラ８００は、断水復帰時に、混合ユニット２００の経路９６側の弁の全閉し、シスターン給水弁７０及びシスターン排水弁８８を開く。これにより、断水復帰後に供給口１００から送られてくる市水をシスターン６０に排水する事が出来る。コントローラ８００は、第１実施例と同様の手法を利用して上記の所定量を決定する。コントローラ８００は、上記の所定量の市水が排水されると、シスターン給水弁７０及びシスターン排水弁８８を閉じ、混合ユニット２００の経路９６側の弁の全閉を解除する。
【００５１】
本実施例では、貯湯槽３００に市水を流入させることなく、シスターン６０に所定量の市水を自動的に排水することができる。なお、第１実施例と同様に、ユーザーの操作によって排水を停止もしくは延長する事が出来る。さらに、第１実施例における浴槽４２０や給湯栓４３０での排水、及び／又は、第２実施例における経路２５からの排水と併せて、本実施例におけるシスターン６０での排水を行うことも可能である。この場合、排水処理時間を短縮することが出来る。
【００５２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時の請求項記載の組み合わせに限定されるものではない。また、本明細書または図面に例示した技術は、複数目的を同時に達成するものであり、そのうちの一つの目的を達成すること自体で技術的有用性を持つものである。
【符号の説明】
【００５３】
２  貯湯式給湯システム
１０  圧力スイッチ
１２  減圧弁
１４  給水サーミスタ
１６  給水量センサ
１８  給水量サーボ
２０  経路
２２  経路
２４  経路
２５  経路
２７  経路
３０  タンク電磁弁
３２  出湯サーミスタ
３４  湯張り弁
３６  湯張り水量センサ
３８  風呂ポンプ
４０  風呂用熱交換器
５６  タンクサーミスタ
５８  暖房用熱交換器出口サーミスタ
６０  シスターン
６２  暖房ポンプ
６４  暖房用熱交換器
６６  暖房サーミスタ
６８  追焚用熱動弁
７０  シスターン給水弁
７２  循環出口サーミスタ
７４  電磁弁
７６  循環入口サーミスタ
７８  循環ポンプ
８０  循環水量センサ
８２  循環水量サーボ
８４  バーナ
８６  電磁弁
８８  シスターン排水弁
９０  経路
９２  経路
９４  経路
９６  経路
９８  電磁弁
１００  供給口
２００  混合ユニット
２１０  排水弁
２２０  止水弁
３００  貯湯槽
４００  熱負荷
４１０  暖房端末機（暖房放熱器など）
４２０  浴槽
４３０  給湯栓
５００  貯湯ユニット
６００  リモコン
６１０  断水処理解除スイッチ
６２０  断水処理スイッチ
６３０  表示器
７００  排熱回収ユニット
７０２  経路
７０４  経路
８００  コントロ−ラ
【図１】
2010281479.tif 000003
【図２】
2010281479.tif 000004
【図３】
2010281479.tif 000005
【図４】
2010281479.tif 000006